【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
コンピュータに実装された方法であって、
オンライン・システムにおいて、前記オンライン・システムのユーザを識別する複数のタイプの識別子の各々に対して関連付けられている信頼値を記憶する工程であって、１つのタイプの識別子に対して関連付けられている信頼値は、前記タイプの識別子が前記オンライン・システムのユーザを識別する蓋然性の尺度を提供し、前記複数のタイプの識別子は、オンライン・システム・ユーザ識別子、クライアント・デバイス識別子、およびアプリケーション識別子のうちの２以上を含む、工程と、
広告に対して関連付けられているコンバージョンを説明する情報を受信する工程であって、前記情報は、前記コンバージョンに対して関連付けられている、前記オンライン・システムのアクションを行ったユーザを識別する情報を含む、受信する工程と、
前記コンバージョンに対して関連付けられている、前記オンライン・システムの前記アクションを行ったユーザを識別する各タイプの識別子に対して関連付けられている、前記コンバージョンが帰属することが可能な１以上のインタラクションを取り出す工程と、
取り出された１以上の前記インタラクションの各々に対して重みを関連付ける工程であって、取り出されたインタラクションに対して関連付けられている重みは、前記コンバージョンに対して関連付けられている、前記オンライン・システムの前記アクションを行ったユーザを識別する１つのタイプの識別子に関連付けられている前記信頼値に少なくとも部分的に基づく、工程と、
前記重みおよび取り出された前記１以上のインタラクションを、前記コンバージョンに対する取り出された前記１以上のインタラクションのうちの１以上に対して貢献量を割り当てるように構成された属性モデルへ通信する工程と、
を備える、方法。
【請求項２】
前記記憶する工程は、
前記信頼値に少なくとも部分的に基づいて、前記オンライン・システムのユーザを識別する前記複数のタイプの識別子をランク付けする工程
を備える、請求項１に記載の方法。
【請求項３】
前記コンバージョンが帰属することが可能な前記１以上のインタラクションは、前記アクションを行ったユーザに対して関連付けられている１以上の過去のコンバージョンを含む、請求項１に記載の方法。
【請求項４】
前記コンバージョンが帰属することが可能な前記１以上のインタラクションは、１以上の広告を見ること、１以上の広告とインタラクションすること、１以上の広告に対して関連付けられている１以上のオブジェクトに対してアクセスすること、前記広告に対して関連付けられている広告主に対して関連付けられている１以上の購入を行うこと、前記広告に対して関連付けられている前記広告主に対して関連付けられている１以上のサービスを要求すること、前記広告に対して関連付けられている前記広告主に対して関連付けられている１以上のイベントに参加すること、１以上のサードパーティ・サービスに加入すること、および、これらの任意の組み合わせから成る群から選択される、請求項１に記載の方法。
【請求項５】
取り出された前記１以上のインタラクションの各々に対して関連付けられている前記重みと、前記属性モデルとに少なくとも部分的に基づいて、前記コンバージョンに対する前記アクションを行ったユーザの取り出された前記１以上のインタラクションのうちの１以上の前記貢献量を決定する工程
をさらに備える、請求項１に記載の方法。
【請求項６】
前記決定する工程は、
取り出された前記１以上のインタラクションの各々に対して関連付けられている前記アクションを行ったユーザを識別するタイプの識別子に対して関連付けられている前記信頼値に少なくとも部分的に基づいて、前記コンバージョンに対して関連付けられている前記オンライン・システムの前記アクションを行ったユーザを識別する各タイプの識別子に対して関連付けられている、前記コンバージョンが帰属することが可能な取り出された前記１以上のインタラクションのサブセットを識別する工程と、
前記重みに少なくとも部分的に基づいて、前記コンバージョンに対する取り出された前記１以上のインタラクションの前記サブセットにおける前記インタラクションの各々の前記貢献量を決定する工程と、
を備える、請求項５に記載の方法。
【請求項７】
前記識別する工程は、
前記信頼値に少なくとも部分的に基づいて、前記タイプの識別子をランク付けする工程と、
前記ランク付けにおいて少なくとも閾値順位を有するタイプの識別子に対して関連付けられている取り出されたインタラクションを選択する工程と、
を備える、請求項６に記載の方法。
【請求項８】
前記取り出す工程は、
前記コンバージョンに対して関連付けられている、前記オンライン・システムの前記アクションを行ったユーザを識別する複数のタイプの識別子に対して関連付けられているインタラクションを取り出す工程
を備える、請求項１に記載の方法。
【請求項９】
前記取り出す工程は、
前記１以上のインタラクションに対して関連付けられている、前記アクションを行ったユーザを識別する複数のタイプの識別子を識別する工程であって、前記複数のタイプの識別子は、前記アクションを行ったユーザの少なくとも閾値割合の前記１以上のインタラクションに対して関連付けられている、工程と、
前記アクションを行ったユーザを識別する前記複数のタイプの識別子のサブセットに対して関連付けられている、前記オンライン・システムの前記アクションを行ったユーザの１以上のさらなるインタラクションを識別する工程と、
前記アクションを行ったユーザを識別する前記複数のタイプの識別子を、前記アクションを行ったユーザの前記１以上のさらなるインタラクションに対して関連付ける工程と、
前記アクションを行ったユーザを識別する少なくとも１つのタイプの識別子に対して関連付けられている、前記コンバージョンが帰属することが可能な１以上のインタラクションを取り出す工程と、
を備える、請求項１に記載の方法。
【請求項１０】
コンバージョンに対して関連付けられている、オンライン・システムのユーザを識別する情報を含む、広告に対して関連付けられている前記コンバージョンを説明する情報を受信する工程と、
前記ユーザを識別する受信された前記情報に基づいて、前記ユーザを識別する１以上のタイプの識別子を識別する工程であって、前記１以上のタイプの識別子は、オンライン・システム・ユーザ識別子、クライアント・デバイス識別子、およびアプリケーション識別子を含む、工程と、を備える方法であって、前記識別する工程は、
前記オンライン・システムのユーザを識別する前記１以上のタイプの識別子の各々に関連付けられている信頼値を取り出す工程であって、識別子のタイプに関連付けられている信頼値は、前記タイプの識別子が前記オンライン・システムのユーザを識別する蓋然性の尺度を提供する、工程と、
前記ユーザを識別する識別された前記１以上のタイプの識別子に少なくとも部分的に基づいて、前記コンバージョンが帰属することが可能な１以上のインタラクションを取り出す工程と、
取り出された前記１以上のインタラクションを、前記コンバージョンに対する取り出された前記１以上のインタラクションのうちの１以上に対して貢献量を割り当てるように構成された属性モデルへ通信する工程と、
前記属性モデルと、前記１以上のインタラクションの各々に関連付けられているユーザを識別する前記１以上のタイプの識別子とに少なくとも部分的に基づいて、前記コンバージョンが前記コンバージョンに帰属することが可能な前記１以上のインタラクションのうちの各々の前記貢献量を決定する工程と、を備え、前記貢献量を決定する工程は、
前記信頼値に少なくとも部分的に基づいて、前記オンライン・システムの前記ユーザを識別する各タイプの識別子に対して重みを関連付ける工程、
を備える、方法。
【請求項１１】
前記識別する工程は、
前記信頼値に少なくとも部分的に基づいて、前記オンライン・システムのユーザを識別する前記１以上のタイプの識別子をランク付けする工程
をさらに備える、請求項１０に記載の方法。
【請求項１２】
前記コンバージョンが帰属することが可能な取り出された１以上の前記インタラクションは、前記ユーザに対して関連付けられている１以上の過去のコンバージョンを含む、請求項１０に記載の方法。
【請求項１３】
前記コンバージョンが帰属することが可能な取り出された前記１以上のインタラクションは、１以上の広告を見ること、１以上の広告とインタラクションすること、１以上の広告に対して関連付けられている１以上のオブジェクトに対してアクセスすること、前記広告に対して関連付けられている広告主に対して関連付けられている１以上の購入を行うこと、前記広告に対して関連付けられている前記広告主に対して関連付けられている１以上のサービスを要求すること、前記広告に対して関連付けられている前記広告主に対して関連付けられている１以上のイベントに参加すること、１以上のサードパーティ・サービスに加入すること、および、これらの任意の組み合わせから成る群から選択される、請求項１０に記載の方法。
【請求項１４】
前記決定する工程は、
前記コンバージョンが帰属することが可能な前記１以上のインタラクションの各々に対して関連付けられている前記ユーザを識別する１以上のタイプの識別子に対して関連付けられている前記重みに少なくとも部分的に基づいて、前記コンバージョンに対する前記ユーザの前記１以上のインタラクションの各々の貢献度を決定する工程、
を備える、請求項１０に記載の方法。
【請求項１５】
前記決定する工程は、
前記信頼値に少なくとも部分的に基づいて、前記コンバージョンが帰属することが可能な取り出された前記１以上のインタラクションのサブセットを識別する工程と、
前記信頼値に少なくとも部分的に基づいて、前記コンバージョンが帰属することが可能な取り出された前記１以上のインタラクションの前記サブセット内の前記インタラクションの各々の貢献度を決定する工程と、
をさらに備える、請求項１０に記載の方法。
【請求項１６】
前記１以上のインタラクションの前記サブセットを識別する工程は、
前記信頼値に少なくとも部分的に基づいて、前記タイプの識別子をランク付けする工程と、
前記ランク付けにおいて少なくとも閾値順位を有するタイプの識別子に対して関連付けられている取り出されたインタラクションを選択する工程と、
を備える、請求項１５に記載の方法。
【請求項１７】
命令がエンコードされた非一時的なコンピュータ読取可能な記憶媒体であって、前記命令は、プロセッサによって実行されると、前記プロセッサに、
コンバージョンに対して関連付けられている、オンライン・システムのユーザを識別する情報を含む、広告に対して関連付けられている前記コンバージョンを説明する情報を受信する工程と、
前記ユーザを識別する受信された前記情報に基づいて、前記ユーザを識別する１以上のタイプの識別子を識別する工程であって、前記１以上のタイプの識別子は、オンライン・システム・ユーザ識別子、クライアント・デバイス識別子、およびアプリケーション識別子を含む、工程と、を行わせる、記憶媒体であって、前記識別する工程は、
前記オンライン・システムのユーザを識別する前記１以上のタイプの識別子の各々に関連付けられている信頼値を取り出す工程であって、識別子のタイプに関連付けられている信頼値は、前記タイプの識別子が前記オンライン・システムのユーザを識別する蓋然性の尺度を提供する、工程と、
前記ユーザを識別する識別された前記１以上のタイプの識別子に少なくとも部分的に基づいて、前記コンバージョンが帰属することが可能な１以上のインタラクションを取り出す工程と、
取り出された前記１以上のインタラクションを、前記コンバージョンに対する取り出された前記１以上のインタラクションのうちの１以上に対して貢献量を割り当てるように構成された属性モデルへ通信する工程と、
前記属性モデルと、前記１以上のインタラクションの各々に関連付けられているユーザを識別する前記１以上のタイプの識別子とに少なくとも部分的に基づいて、前記コンバージョンが前記コンバージョンに帰属することが可能な前記１以上のインタラクションのうちの各々の前記貢献量を決定する工程と、を備え、前記貢献量を決定する工程は、
前記信頼値に少なくとも部分的に基づいて、前記オンライン・システムの前記ユーザを識別する各タイプの識別子に対して重みを関連付ける工程、
を備える、記憶媒体。
【請求項１８】
前記識別する工程は、
前記信頼値に少なくとも部分的に基づいて、前記オンライン・システムのユーザを識別する前記１以上のタイプの識別子をランク付けする工程
を備える、請求項１７に記載の記憶媒体。